(57)【特許請求の範囲】
【請求項１】
感光体を回転可能に支持した印写ユニットと、
前記感光体の表面に対向するように前記印写ユニットに挿入される現像ユニットであって、前記感光体の回転軸方向に取り出し可能に設けられた現像ユニットとを備えた電子写真装置において、
前記印写ユニットは、
(a) 前記現像ユニットの下面に対向し、前記感光体に対する前記現像ユニットのギャップを調整するアジャスト部材と、
(b) 前記現像ユニットの側面に対向し、前記感光体の回転軸と平行をなす一対のレール部材と、
(c) 前記一対のレール部材の内、一方のレール部材の近傍において前記感光体の回転軸と平行で且つ垂直な平面を有するガイドプレートとを備え、
前記現像ユニットは、
(d) 前記印写ユニットに対し水平方向の回転軸に支持され、前記レール部材上を移動するコロ部材と、
(e) 前記印写ユニットに対し垂直方向の回転軸に支持され、前記ガイドプレートの前記平面に接しながら移動するガイドローラとを備え、
前記印写ユニットまたは前記現像ユニットに、前記ガイドローラを前記ガイドプレートへ押し付ける弾性部材を設けたことを特徴とする電子写真装置。
【発明の詳細な説明】
【０００１】
【発明の属する技術分野】
本発明は、印写ユニットに対し着脱可能な現像ユニットを備えた電子写真装置に関する。
【０００２】
【従来の技術】
従来の電子写真装置の現像装置を図面に従って説明する。図３は電子写真装置の現像装置の主要部を示す正面図であり、図４は現像装置の平面図である。
【０００３】
まず、現像装置の構成を説明する。現像装置は、主に印写ユニット１０と現像ユニット２０から構成されている。印写ユニット１０は、主に感光ドラム１１、帯電器１２、露光装置１３、転写器１４、アジャスト部材１５、レール部材１６、穴１７から構成されており、現像ユニット２０は、主に現像用磁気ロール２１、フレーム２２、現像剤容器２３、ガイドピン２４から構成されている。
【０００４】
表面に光導電性を有する感光ドラム１１は、回転軸を中心に図示Ａ方向へ回転する。感光ドラム１１の周囲には、回転方向上位から、帯電器１２、露光装置１３、現像用磁気ロール２１、転写機１４が設けてある。現像用磁気ロール２１は、感光ドラム１１と近接して図示Ｂ方向へ回転可能に設けてあり、フレーム２２が現像用磁気ロール２１の両端を保持している。
【０００５】
現像用磁気ロール２１の下側には、内部に摩擦帯電しプラスの電荷を帯びたトナーと、磁性体であるキャリアとの混合体である現像剤２５が滞留している現像剤容器２３が設けてある。感光ドラム１１の下側には、フレーム２２と接触するアジャスト部材１５が設けてあり、現像ユニット２０を支持している。アジャスト部材１５は、垂直方向Ｃに移動可能であり、通常１ｍｍ程度である感光ドラム１１と現像用磁気ロール２１とのギャップＦを調整、設定することができる。また、印写ユニット１０への現像ユニット２０の挿入、および取り出し作業を補助するため、印写ユニット１０には、感光ドラム１１の回転軸方向Ｅに伸縮するスライド式のレール部材１６が設けてあり、他端をフレーム２２に固定することから、現像ユニット２０を印写ユニット１０へ案内する。現像ユニット２０挿入時は、フレーム２２の手前側、奥側に固定されているガイドピン２４と、印写ユニット１０にガイドピン２４と対向する位置に設けてある穴１７とが勘合することから、現像ユニット２０の水平方向Ｄの概略位置が決まる。
【０００６】
次に、現像プロセスについて説明する。帯電器１２により、感光ドラム１１の表面には一様にプラスの電位が与えられ、露光装置１３によって光が照射された部分の電位が下がることから、感光ドラム１１の表面には、電位差による凹凸が形成される。現像用磁気ロール２１の表面に付着した現像剤２５は、図示Ｂ方向へ回転搬送され、プラスに帯電したトナーのみ、感光ドラム１１表面の電位が下がった部分に付着する。感光ドラム１１の表面に付着したトナーは、転写器１４から用紙１８へマイナスの電荷が放電されることから、用紙１８の表面に転写する。
【０００７】
ここで、ギャップＦに回転軸方向Ｅのばらつきが生じた場合、感光ドラム１１の表面に付着するトナーにムラが発生することから、印刷品質の低下に繋がるため、ギャップＦは回転軸方向Ｅに、均一に抑えておくことが重要となる。そのため、トナー（印字）の色を変える目的から、現像ユニット２０を目的の色の現像剤２５が投入された別の現像ユニット２０と入れ替える、もしくは、メンテナンスの目的から、一度取り出した現像ユニット２０を、再度印写ユニット１０に挿入する場合、ガイドピン２４と穴１７とのガタにより、感光ドラム１１と現像用磁気ロール２１との水平方向Ｄにおける位置と回転軸方向Ｅの平行度とが再現せず、ギャップＦに回転軸方向Ｅのばらつきが生じるため、アジャスト部材１５により垂直方向Ｃへ微調整し、ギャップＦの再調整を行なうことが必要となる。
【０００８】
【発明が解決しようとする課題】
従来の現像装置では、現像ユニット自体を入れ替える、もしくは、一度取り出した現像ユニットを、再度印写ユニットへ挿入した場合、ギャップが再現しないため、ギャップを再調整することが必要であった。
【０００９】
そのため、印刷装置の操作方法しか習得していないオペレータでは、現像ユニットの入れ替え作業を行なうことが不可能であり、また、印刷装置の保守教育を受けた保守員が、メンテナンスの際に一度取り出した現像ユニットを再度印写ユニットへ挿入する場合は、作業時間の増加に繋がる要因となっていた。
【００１０】
本発明の目的は、上記した従来技術の問題点を解決し、再調整作業をなくすことから、オペレータが現像ユニットの入れ替え作業を行なうことができ、更には保守員のメンテナンス時における作業時間の低減を図ることができる、印刷品質の安定した電子写真装置を提供することにある。
【００１１】
【課題を解決するための手段】
上記目的は、感光体を回転可能に支持した印写ユニットと、
前記感光体の表面に対向するように前記印写ユニットに挿入される現像ユニットであって、前記感光体の回転軸方向に取り出し可能に設けられた現像ユニットとを備えた電子写真装置において、
前記印写ユニットは、
(a) 前記現像ユニットの下面に対向し、前記感光体に対する前記現像ユニットのギャップを調整するアジャスト部材と、
(b) 前記現像ユニットの側面に対向し、前記感光体の回転軸と平行をなす一対のレール部材と、
(c) 前記一対のレール部材の内、一方のレール部材の近傍において前記感光体の回転軸と平行で且つ垂直な平面を有するガイドプレートとを備え、
前記現像ユニットは、
(d) 前記印写ユニットに対し水平方向の回転軸に支持され、前記レール部材上を移動するコロ部材と、
(e) 前記印写ユニットに対し垂直方向の回転軸に支持され、前記ガイドプレートの前記平面に接しながら移動するガイドローラとを備え、
前記印写ユニットまたは前記現像ユニットに、前記ガイドローラを前記ガイドプレートへ押し付ける弾性部材を設けたことにより達成される。
【００１２】
【発明の実施の形態】
本発明における電子写真装置の現像装置の一実施例を、図面に従って説明する。図１は本発明における電子写真装置の現像装置を示す正面図であり、図２は現像装置の平面図である。図１および図２において、参照符号１０〜２５、Ａ〜Ｆは従来技術における図３および図４と実質上、同一部材である。
【００１３】
まず、本発明における現像装置の構成について説明する。印写ユニット１０には、感光ドラム１１の回転軸に対して平行な面を有するガイドプレート１が設けてあり、現像ユニット２０には、ガイドプレート１と対向する位置に、現像用磁気ロール２１の回転軸に対して平行な位置関係となる２個のガイドローラ２が設けてある。また、現像ユニット２０を印写ユニット１０に挿入した状態において、ガイドローラ２がガイドプレート１に接触するように、ガイドローラ２の反対側には、現像ユニット２０をガイドプレート１側へ押し付けるためバネなどの弾性部材３が設けてある。
【００１４】
また、印写ユニット１０には、現像ユニット２０の挿入および取り出し作業を補助するためレール部材１６が設けてあり、フレーム２２には、レール部材１６上を水平方向Ｄおよび回転軸方向Ｅに低負荷で接触移動するコロ部材４が設けてある。
【００１５】
次に、本発明における現像装置の機能について説明する。現像ユニット２０が印写ユニット１０に挿入された状態において、感光ドラム１１と現像用磁気ロール２１との水平方向Ｄにおける位置と回転軸方向Ｅの平行度とは、ガイドローラ２とガイドプレート１との接触により規制されている。また、現像ユニット２０の垂直方向Ｃの位置は、フレーム２２とアジャスト部材１５との接触により規制されているため、アジャスト部材１５を垂直方向Ｃに調整することから、感光ドラム１１と現像用磁気ロール２１との垂直方向Ｃにおける位置と回転軸方向Ｅの平行度とが確保され、回転軸方向Ｅに均一なギャップＦが設定できる。
【００１６】
ここで、現像ユニット２０自体の入れ替え、もしくは、一度取り出した現像ユニット２０を、再度印写ユニット１０へ挿入した場合、レール部材１６とコロ部材４との接触により印写ユニット１０へ案内された現像ユニット２０は、垂直方向Ｃにおける位置と回転軸方向Ｅの平行度とがフレーム２２とアジャスト部材１５との接触により、水平方向Ｄにおける位置と回転軸方向Ｅの平行度とがガイドローラ２とガイドプレート１との接触により、それぞれ規制されていることから、感光ドラム１１と現像用磁気ロール２１との位置関係が常に一定に確保されており、ギャップＦは再現するため、再調整が不要となる。
【００１７】
【発明の効果】
本発明によれば、感光ドラムと現像用磁気ロールとの垂直方向における位置関係と回転軸方向の平行度とが確保されている状態で、水平方向における位置関係と回転軸方向の平行度とが常に一定に確保されているため、現像ユニットの入れ替え作業、および、印写ユニットから一度取り出した現像ユニットを、再度印写ユニットへ挿入した場合においても、回転軸方向に均一なギャップが再現することから再調整作業を必要としないため、装置の操作方法しか習得していないオペレータでも現像ユニットの入れ替え作業を可能とし、更には、保守員のメンテナンス時における作業時間の低減を図ることができる。
【図面の簡単な説明】
【図１】本発明の現像装置の一実施例を示す正面図。
【図２】本発明の現像装置の一実施例を示す平面図。
【図３】電子写真装置の現像装置の主要部を示す正面図。
【図４】電子写真装置の現像装置の主要部を示す平面図。
【符号の説明】
１…ガイドプレート、２…ガイドローラ、３…弾性部材、１０…印写ユニット、１１…感光ドラム、１２…帯電器、１３…露光装置、１４…転写器、１５…アジャスト部材、１６…レール部材、１７…穴、２０…現像ユニット、２１…現像用磁気ロール、２２…フレーム、２３…現像剤容器、２４…ガイドピン。
【図１】
0003770472.tif 000002
【図２】
0003770472.tif 000003
【図３】
0003770472.tif 000004
【図４】
0003770472.tif 000005